(57)【特許請求の範囲】
【請求項１】
複数の発光素子が配列された発光素子アレイ部材の点灯信号を生成する信号生成回路であって、
入力された画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正手段と、
前記発光量補正手段にて出力された前記補正係数に基づいて補正された発光量に対応する点灯信号を生成して、前記発光素子アレイ部材に出力する点灯信号出力手段と
を備えることを特徴とする信号生成回路。
【請求項２】
前記発光素子アレイ部材を構成する発光素子の各々の光量のばらつきを補正するばらつき補正係数を記憶する記憶手段と、
前記発光量補正手段にて出力された前記補正係数と前記記憶手段に記憶された前記ばらつき補正係数とに基づいて、前記所定領域に含まれる発光画素に対応する発光素子を点灯させるために用いられる点灯信号の、電流値またはパルス幅の少なくともいずれか一方を計算して出力する点灯信号計算手段と
を更に備えることを特徴とする請求項１に記載の信号生成回路。
【請求項３】
前記所定領域は、複数の画素が連続的に二次元に配列された構成であることを特徴とする請求項１に記載の信号生成回路。
【請求項４】
入力された画像データの前記所定領域内の発光画素の数を、当該所定領域ごとにカウントするカウント手段を更に備え、
前記発光量補正手段は、前記カウント手段によりカウントされた前記所定領域内の発光画素の数が所定の閾値より少ないとき、当該所定領域内の発光画素の数が減少するのに伴って、当該所定領域内の発光画素に対応する発光素子の発光量を大きい値に補正する補正係数を出力し、当該所定領域内の発光画素の数が、当該所定の閾値より小さい予め定められた画素数以下の領域では、当該所定領域内の発光画素に対応する発光素子の発光量を、当該所定領域内の発光画素の数が当該予め定められた画素数に等しい場合の発光量の大きさに一律に補正する当該補正係数を出力することを特徴とする請求項１に記載の信号生成回路。
【請求項５】
複数の発光素子が配列された複数の発光素子アレイ部材と、
前記発光素子を点灯させるために用いられる点灯信号を生成する信号生成回路と
を含み、
前記信号生成回路は、
入力された画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正手段と、
前記複数の発光素子アレイ部材を構成する発光素子の各々の光量のばらつきを補正するばらつき補正係数を記憶する記憶手段と、
前記発光量補正手段にて出力された前記補正係数と前記記憶手段に記憶された前記ばらつき補正係数とに基づいて、前記所定領域に含まれる発光画素に対応する発光素子を点灯させるために用いられる前記点灯信号の、電流値またはパルス幅の少なくともいずれか一方を計算して出力する点灯信号計算手段と、
前記点灯信号計算手段の出力に基づいて前記点灯信号を生成して、前記複数の発光素子アレイ部材に出力する点灯信号出力手段と
を備えることを特徴とする露光装置。
【請求項６】
前記点灯信号計算手段は、
前記発光量補正手段にて出力された前記補正係数及び前記記憶手段に記憶された前記ばらつき補正係数のいずれか一方に基づいて前記点灯信号の電流値を計算して出力する電流値計算回路と、
前記補正係数及び前記ばらつき補正係数の他方に基づいて前記点灯信号のパルス幅を計算して出力するパルス幅計算回路と
を備えて構成されることを特徴とする請求項５に記載の露光装置。
【請求項７】
像保持体と、
外部から取得した画像情報に対して所定の画像処理を施し画像データとして出力する画像処理手段と、
複数の発光素子が配列され、前記像保持体に光を照射する複数の発光素子アレイ部材と、
前記画像処理手段から入力された前記画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正手段と、
前記複数の発光素子アレイ部材を構成する発光素子の各々の光量のばらつきを補正するばらつき補正係数を記憶する記憶手段と、
前記発光量補正手段にて出力された前記補正係数と前記記憶手段に記憶された前記ばらつき補正係数とに基づいて、前記所定領域に含まれる発光画素に対応する発光素子を点灯させるために用いられる点灯信号の、電流値またはパルス幅の少なくともいずれか一方を計算して出力する点灯信号計算手段と、
前記点灯信号計算手段の出力に基づいて前記点灯信号を生成して、前記複数の発光素子アレイ部材に出力する点灯信号出力手段と
を備えることを特徴とする画像形成装置。
【請求項８】
コンピュータに、
入力された画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正機能、
前記補正係数と、複数の発光素子アレイ部材を構成する複数の発光素子における各々の光量のばらつきを補正するばらつき補正係数を記憶する記憶手段に記憶された当該ばらつき補正係数とに基づいて、前記所定領域に含まれる発光画素に対応する発光素子を点灯させるために用いられる点灯信号の、電流値またはパルス幅の少なくともいずれか一方を計算して出力する点灯信号計算機能
を実現させるプログラム。
【発明の詳細な説明】
【技術分野】
【０００１】
本発明は、信号生成回路、露光装置、画像形成装置及びプログラムに関する。
【背景技術】
【０００２】
電子写真方式を用いたプリンタや複写機等の画像形成装置では、感光体ドラム等の像保持体を露光する露光装置として、ＬＥＤ等の発光素子をライン状に配列した発光素子アレイを用いた装置が提案されている。
【０００３】
ここで、発光素子アレイを用いた露光装置に関する公報記載の技術として、例えば、特許文献１に記載の技術がある。
この技術では、注目画素が細線の一部であるか否かを判別し、細線である場合は書き込み時間を通常の書き込み時間よりも長く設定して、画素以下の分解能で線幅を制御して再現性の向上を図っている。
【０００４】
【特許文献１】特開２０００−３７９０８号公報
【発明の開示】
【発明が解決しようとする課題】
【０００５】
ところで、発光素子アレイを用いた露光装置では、発光素子アレイから出力された光によって感光体が露光され、感光体上の露光された位置に一定以上の電位差が生じる。その後、電位差が生じた位置にトナーを乗せて、画像を出力用紙上に出力する。ここで、発光素子アレイが出力する光はある程度広がって感光体に露光されるので、発光点の周囲の発光状態によって発光点に生じる電位差は異なってくる。例えば、細線や孤立画素と、太い線や濃い線など画素が密集した連続画素とでは、発光素子アレイへ同じ点灯信号を与えても、発光素子アレイが感光体に与える画素当たりの露光量は異なり、生じる電位差も異なる。
【０００６】
本発明は、発光点の周囲の発光状態に応じて発光素子を発光させる信号生成回路等を提供することを目的とする。
【課題を解決するための手段】
【０００７】
請求項１に記載の発明は、複数の発光素子が配列された発光素子アレイ部材の点灯信号を生成する信号生成回路であって、入力された画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正手段と、前記発光量補正手段にて出力された前記補正係数に基づいて補正された発光量に対応する点灯信号を生成して、前記発光素子アレイ部材に出力する点灯信号出力手段とを備えることを特徴とする信号生成回路である。
【０００８】
請求項２に記載の発明は、前記発光素子アレイ部材を構成する発光素子の各々の光量のばらつきを補正するばらつき補正係数を記憶する記憶手段と、前記発光量補正手段にて出力された前記補正係数と前記記憶手段に記憶された前記ばらつき補正係数とに基づいて、前記所定領域に含まれる発光画素に対応する発光素子を点灯させるために用いられる点灯信号の、電流値またはパルス幅の少なくともいずれか一方を計算して出力する点灯信号計算手段とを更に備えることを特徴とする請求項１に記載の信号生成回路である。
請求項３に記載の発明は、前記所定領域は、複数の画素が連続的に二次元に配列された構成であることを特徴とする請求項１に記載の信号生成回路である。
請求項４に記載の発明は、入力された画像データの前記所定領域内の発光画素の数を、当該所定領域ごとにカウントするカウント手段を更に備え、前記発光量補正手段は、前記カウント手段によりカウントされた前記所定領域内の発光画素の数が所定の閾値より少ないとき、当該所定領域内の発光画素の数が減少するのに伴って、当該所定領域内の発光画素に対応する発光素子の発光量を大きい値に補正する補正係数を出力し、当該所定領域内の発光画素の数が、当該所定の閾値より小さい予め定められた画素数以下の領域では、当該所定領域内の発光画素に対応する発光素子の発光量を、当該所定領域内の発光画素の数が当該予め定められた画素数に等しい場合の発光量の大きさに一律に補正する当該補正係数を出力することを特徴とする請求項１に記載の信号生成回路である。
【０００９】
請求項５に記載の発明は、複数の発光素子が配列された複数の発光素子アレイ部材と、前記発光素子を点灯させるために用いられる点灯信号を生成する信号生成回路とを含み、前記信号生成回路は、入力された画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正手段と、前記複数の発光素子アレイ部材を構成する発光素子の各々の光量のばらつきを補正するばらつき補正係数を記憶する記憶手段と、前記発光量補正手段にて出力された前記補正係数と前記記憶手段に記憶された前記ばらつき補正係数とに基づいて、前記所定領域に含まれる発光画素に対応する発光素子を点灯させるために用いられる前記点灯信号の、電流値またはパルス幅の少なくともいずれか一方を計算して出力する点灯信号計算手段と、前記点灯信号計算手段の出力に基づいて前記点灯信号を生成して、前記複数の発光素子アレイ部材に出力する点灯信号出力手段とを備えることを特徴とする露光装置である。
【００１０】
請求項６に記載の発明は、前記点灯信号計算手段は、前記発光量補正手段にて出力された前記補正係数及び前記記憶手段に記憶された前記ばらつき補正係数のいずれか一方に基づいて前記点灯信号の電流値を計算して出力する電流値計算回路と、前記補正係数及び前記ばらつき補正係数の他方に基づいて前記点灯信号のパルス幅を計算して出力するパルス幅計算回路とを備えて構成されることを特徴とする請求項５に記載の露光装置である。
【００１１】
請求項７に記載の発明は、像保持体と、外部から取得した画像情報に対して所定の画像処理を施し画像データとして出力する画像処理手段と、複数の発光素子が配列され、前記像保持体に光を照射する複数の発光素子アレイ部材と、前記画像処理手段から入力された前記画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正手段と、前記複数の発光素子アレイ部材を構成する発光素子の各々の光量のばらつきを補正するばらつき補正係数を記憶する記憶手段と、前記発光量補正手段にて出力された前記補正係数と前記記憶手段に記憶された前記ばらつき補正係数とに基づいて、前記所定領域に含まれる発光画素に対応する発光素子を点灯させるために用いられる点灯信号の、電流値またはパルス幅の少なくともいずれか一方を計算して出力する点灯信号計算手段と、前記点灯信号計算手段の出力に基づいて前記点灯信号を生成して、前記複数の発光素子アレイ部材に出力する点灯信号出力手段とを備えることを特徴とする画像形成装置である。
【００１２】
請求項８に記載の発明は、コンピュータに、入力された画像データの所定領域ごとの濃度を取得し、当該濃度が所定の濃度より低いとき、当該所定領域に含まれる発光画素に対応する発光素子の発光量を本来の発光量よりも大きい値に補正する補正係数を、当該所定領域ごとに出力する発光量補正機能、前記補正係数と、複数の発光素子アレイ部材を構成する複数の発光素子における各々の光量のばらつきを補正するばらつき補正係数を記憶する記憶手段に記憶された当該ばらつき補正係数とに基づいて、前記所定領域に含まれる発光画素に対応する発光素子を点灯させるために用いられる点灯信号の、電流値またはパルス幅の少なくともいずれか一方を計算して出力する点灯信号計算機能を実現させるプログラムである。
【発明の効果】
【００１３】
請求項１にかかる発明によれば、細線や孤立画素などの低階調の画像データを再現性良く出力させることができる。
請求項２にかかる発明によれば、本構成を有しない場合に比して、光量のばらつきを考慮して発光素子アレイ部材の露光量を精度よく出力することができる。
請求項３にかかる発明によれば、本構成を有しない場合に比して、さらに低階調の画像データを再現性良く出力させることができる。
請求項４にかかる発明によれば、本構成を有しない場合に比して、所定領域内の発光画素に対応する発光素子の発光量を、発光画素を視認するために最適な値に補正することができる。
請求項５にかかる発明によれば、細線や孤立画素などの低階調の画像データを再現性良く出力させることができる。
請求項６にかかる発明によれば、本構成を有しない場合に比して、光量のばらつきを考慮して発光素子アレイ部材の露光量を精度よく出力することができる。
請求項７にかかる発明によれば、細線や孤立画素などの低階調の画像データを再現性良く出力させることができる。
請求項８にかかる発明によれば、細線や孤立画素などの低階調の画像データを再現性良く出力させることができる。
【発明を実施するための最良の形態】
【００１４】
以下、添付図面を参照して、本発明の実施形態について説明する。
図１は、本実施形態にかかる露光装置の一例であるＬＥＤプリントヘッドが用いられた画像形成装置１の全体構成を示した図である。
図１に示す画像形成装置１は、いわゆるタンデム型のデジタルカラープリンタである。
画像形成装置１は、各色の画像情報に対応して画像形成を行う画像形成プロセス部１０と、画像形成装置１の動作を制御する制御部３０と、例えばパーソナルコンピュータ（ＰＣ）２や画像読取装置３等の外部装置に接続され、これらから受信された画像情報に対して所定の画像処理を施し画像データとして出力する画像処理手段の一例としての画像処理部４０とを備えている。
【００１５】
画像形成プロセス部１０は、一定の間隔を置いて並列的に配置される４つの画像形成ユニット１１Ｙ，１１Ｍ，１１Ｃ，１１Ｋ（以下、総称して単に「画像形成ユニット１１」とも記す）を備えている。
各画像形成ユニット１１は、静電潜像を形成してトナー像を保持する像保持体の一例としての感光体ドラム１２と、感光体ドラム１２の表面を所定電位で一様に帯電する帯電器１３と、帯電器１３によって帯電された感光体ドラム１２を画像データに基づいて露光する露光装置の一例としてのＬＥＤプリントヘッド（ＬＰＨ）１４とを備えている。また、各画像形成ユニット１１は、感光体ドラム１２上に形成された静電潜像を現像する現像器１５と、転写後の感光体ドラム１２表面を清掃するクリーナ１６とを備えている。
【００１６】
ここで、各画像形成ユニット１１は、現像器１５に収納されたトナーの色を除いて、略同様に構成されている。そして、各画像形成ユニット１１は、それぞれがイエロー（Ｙ）、マゼンタ（Ｍ）、シアン（Ｃ）、黒（Ｋ）のトナー像を形成する。
また、画像形成プロセス部１０は、各画像形成ユニット１１の感光体ドラム１２にて形成された各色のトナー像が多重転写される中間転写ベルト２１と、各画像形成ユニット１１の各色トナー像を中間転写ベルト２１に順次転写（一次転写）させる一次転写ロール２２と、中間転写ベルト２１上に転写された重畳トナー像を記録材（記録紙）である用紙Ｐに一括転写（二次転写）させる二次転写ロール２３と、二次転写された画像を用紙Ｐ上に定着させる定着器２５とを備えている。
【００１７】
本実施形態の画像形成装置１では、画像形成プロセス部１０は、制御部３０から供給された同期信号等の制御信号に基づいて画像形成動作を行う。その際に、ＰＣ２や画像読取装置３から入力された画像データは、画像処理部４０によって画像処理が施され、インターフェースを介して各画像形成ユニット１１に供給される。そして、例えばイエローの画像形成ユニット１１Ｙでは、帯電器１３により所定電位で一様に帯電された感光体ドラム１２の表面が、画像処理部４０から得られた画像データに基づいて発光するＬＰＨ１４により露光されて、感光体ドラム１２上に静電潜像が形成される。形成された静電潜像は現像器１５により現像され、感光体ドラム１２上にはイエロー（Ｙ）のトナー像が形成される。同様に、画像形成ユニット１１Ｍ，１１Ｃ，１１Ｋにおいても、マゼンタ（Ｍ）、シアン（Ｃ）、黒（Ｋ）の各色トナー像が形成される。
【００１８】
各画像形成ユニット１１で形成された各色トナー像は、図１の矢印方向に回動する中間転写ベルト２１上に、一次転写ロール２２により順次静電吸引され、中間転写ベルト２１上に重畳されたトナー像が形成される。重畳トナー像は、中間転写ベルト２１の移動に伴って二次転写ロール２３が配設された領域（二次転写部）に搬送される。重畳トナー像が二次転写部に搬送されると、トナー像が二次転写部に搬送されるタイミングに合わせて用紙Ｐが二次転写部に供給される。そして、二次転写部にて二次転写ロール２３により形成される転写電界により、重畳トナー像は搬送されてきた用紙Ｐ上に一括して静電転写される。
その後、重畳トナー像が静電転写された用紙Ｐは、中間転写ベルト２１から剥離され、搬送ベルト２４により定着器２５まで搬送される。定着器２５に搬送された用紙Ｐ上の未定着トナー像は、定着器２５によって熱及び圧力による定着処理を受けることで用紙Ｐ上に定着される。そして定着画像が形成された用紙Ｐは、画像形成装置１の排出部に設けられた排紙載置部（不図示）に搬送される。
【００１９】
図２は、露光装置であるＬＥＤプリントヘッド（ＬＰＨ）１４の構成を示した図である。
図２に示すように、ＬＰＨ１４は、支持体としてのハウジング６１、発光素子アレイ部材の一例としての発光部を構成する自己走査型ＬＥＤアレイ（ＳＬＥＤ）６３、ＳＬＥＤ６３やＳＬＥＤ６３を駆動する信号生成回路の一例としての信号生成回路１００（後述する図３参照）等を搭載するＬＥＤ回路基板６２、ＳＬＥＤ６３からの光を感光体ドラム１２表面に結像させる光学部材であるロッドレンズアレイ６４、ロッドレンズアレイ６４を支持するとともにＳＬＥＤ６３を外部から遮蔽するホルダー６５、ハウジング６１をロッドレンズアレイ６４方向に加圧する板バネ６６を備えている。
【００２０】
ハウジング６１は、アルミニウム、ＳＵＳ等のブロックまたは板金で形成され、ＬＥＤ回路基板６２を支持している。また、ホルダー６５は、ハウジング６１及びロッドレンズアレイ６４を支持し、ＳＬＥＤ６３の発光点とロッドレンズアレイ６４の焦点とが一致するように設定している。さらに、ホルダー６５はＳＬＥＤ６３を密閉するように構成されている。それにより、ＳＬＥＤ６３に外部からゴミが付着することを防いでいる。一方、板バネ６６は、ＳＬＥＤ６３及びロッドレンズアレイ６４の位置関係を保持するように、ハウジング６１を介してＬＥＤ回路基板６２をロッドレンズアレイ６４方向に加圧している。
このように構成されたＬＰＨ１４は、調整ネジ（図示せず）によってロッドレンズアレイ６４の光軸方向に移動可能に構成され、ロッドレンズアレイ６４の結像位置（焦点面）が感光体ドラム１２表面上に位置するように調整されている。
【００２１】
図３は、ＬＥＤ回路基板６２の平面図である。
ＬＥＤ回路基板６２には、図３に示すように、例えば５８個のＳＬＥＤチップ（ＣＨＩＰ１〜ＣＨＩＰ５８）からなる発光素子アレイ部材の一例としてのＳＬＥＤ６３が、感光体ドラム１２の軸線方向と平行になるように精度良くライン状に配置されている。この場合、各ＳＬＥＤチップ（ＣＨＩＰ１〜ＣＨＩＰ５８）に配置された発光素子（ＬＥＤ）の配列（ＬＥＤアレイ）の端部境界において、各ＬＥＤアレイがＳＬＥＤチップ同士の連結部で連続的に配列されるように、ＳＬＥＤチップは交互に千鳥状に配置されている。
また、ＬＥＤ回路基板６２には、ＳＬＥＤ６３を駆動する信号（点灯信号）を生成する信号生成回路１００、レベルシフト回路１０４、所定の電圧を出力する３端子レギュレータ１０１、ＳＬＥＤ６３の光量補正係数等を記憶するＥＥＰＲＯＭ１０２、制御部３０及び画像処理部４０（共に図１参照）との間で信号の送受信を行うハーネス１０３が備えられている。
【００２２】
次に、ＬＥＤ回路基板６２に設けられたＳＬＥＤ６３について説明する。
図４は、ＳＬＥＤ６３の回路構成の一例を説明する図である。
図４に示したＳＬＥＤ６３は、一例として解像度（発光素子の配置密度）６００ｄｐｉ（dot per inch）用のＳＬＥＤチップを示しており、１ＳＬＥＤチップ当たり１２８個の発光素子（ＬＥＤ）が配置されている。
【００２３】
本実施形態のＳＬＥＤ６３は、レベルシフト回路１０４を介して信号生成回路１００に接続されている。レベルシフト回路１０４は、抵抗Ｒ１ＢとコンデンサＣ１、及び抵抗Ｒ２ＢとコンデンサＣ２がそれぞれ並列に配置された構成を有し、それぞれの一端がＳＬＥＤ６３の入力端子に接続され、他端が信号生成回路１００の出力端子に接続されている。そして、信号生成回路１００から出力される転送信号ＣＫ１Ｒ，ＣＫ１Ｃ及び転送信号ＣＫ２Ｒ，ＣＫ２Ｃに基づいて、転送信号ＣＫ１及び転送信号ＣＫ２をＳＬＥＤ６３に出力するように構成されている。
なお、本実施の形態のＳＬＥＤ６３には、５８個のＳＬＥＤチップが直列に配列されているが、図４では、１つのＳＬＥＤチップとそれに接続される信号ラインだけを示している。そして、以下の説明では、便宜上ＳＬＥＤチップをＳＬＥＤ６３と称することとする。
【００２４】
図４に示すＳＬＥＤ６３は、１２８個のサイリスタＳ１〜Ｓ１２８、１２８個のＬＥＤ  Ｌ１〜Ｌ１２８、１２８個のダイオードＤ１〜Ｄ１２８、１２８個の抵抗Ｒ１〜Ｒ１２８、更には信号ラインΦ１，Φ２に過剰な電流が流れるのを防止する転送電流制限抵抗Ｒ１Ａ、Ｒ２Ａで構成されている。
図４に示したＳＬＥＤ６３では、各サイリスタＳ１〜Ｓ１２８のアノード端子（入力端）Ａ１〜Ａ１２８は電源ライン１０５に接続されている。この電源ライン１０５には３端子レギュレータ１０１の出力電圧ＶＤＤ（ＶＤＤ＝＋３．３Ｖ）が供給される。
【００２５】
奇数番目のサイリスタＳ１、Ｓ３、…、Ｓ１２７のカソード端子（出力端）Ｋ１、Ｋ３、…、Ｋ１２７には、信号生成回路１００及びレベルシフト回路１０４からの転送信号ＣＫ１が転送電流制限抵抗Ｒ１Ａを介して送信される。
また、偶数番目のサイリスタＳ２、Ｓ４、…、Ｓ１２８のカソード端子（出力端）Ｋ２、Ｋ４、…、Ｋ１２８には、信号生成回路１００及びレベルシフト回路１０４からの転送信号ＣＫ２が転送電流制限抵抗Ｒ２Ａを介して送信される。
【００２６】
一方、各サイリスタＳ１〜Ｓ１２８のゲート端子（制御端）Ｇ１〜Ｇ１２８は、各サイリスタＳ１〜Ｓ１２８に対応して設けられた抵抗Ｒ１〜Ｒ１２８を介して電源ライン１０６に各々接続されている。なお、電源ライン１０６は接地（ＧＮＤ）されている。
また、各サイリスタＳ１〜Ｓ１２８のゲート端子Ｇ１〜Ｇ１２８と、各サイリスタＳ１〜Ｓ１２８に対応して設けられたＬＥＤ  Ｌ１〜Ｌ１２８のゲート端子とは各々接続される。
【００２７】
さらに、各サイリスタＳ１〜Ｓ１２８のゲート端子Ｇ１〜Ｇ１２８には、ダイオードＤ１〜Ｄ１２８のカソード端子が接続されている。そして、サイリスタＳ１〜Ｓ１２７のゲート端子Ｇ１〜Ｇ１２７には、次段のダイオードＤ２〜Ｄ１２８のアノード端子に各々接続されている。すなわち、各ダイオードＤ１〜Ｄ１２８はゲート端子Ｇ１〜Ｇ１２７を挟んで直列接続されている。
ダイオードＤ１のアノード端子は、転送電流制限抵抗Ｒ２Ａ及びレベルシフト回路１０４を介して信号生成回路１００に接続され、転送信号ＣＫ２が送信される。また、ＬＥＤ  Ｌ１〜Ｌ１２８のカソード端子は、信号生成回路１００に接続されて、点灯信号ΦＩが送信される。
更には、ＳＬＥＤ６３には、サイリスタＳ１〜Ｓ１２８及びダイオードＤ１〜Ｄ１２８を覆うように遮光マスク５０が配置される。画像形成動作中に、オン状態にあって電流が流れている状態におけるサイリスタＳ１〜Ｓ１２８や、電流が流れている状態におけるダイオードＤ１〜Ｄ１２８からの発光を遮断し、不要光が感光体ドラム１２を露光することを抑制するために設けられている。
【００２８】
＜電流値の制御＞
引き続いて、ＬＥＤ回路基板６２に設けられた信号生成回路１００について説明する。
図５は、画像形成装置１に含まれる信号生成回路１００の構成を示すブロック図である。
信号生成回路１００は、画像処理部４０から取得した画像データをＳＬＥＤ６３の発光に適した形式に変換し変換画像データとして出力する画像データ並び替え回路１１０と、画像処理部４０から取得した画像データを所定の大きさのブロックに分割し、そのブロックの濃度（階調度）を判定する判定手段の一例としての濃度判定部１１１を備えている。また、点灯率別光量補正係数を出力する発光量補正手段の一例としての点灯率別光量補正係数算出回路１１２を有する。この点灯率別光量補正係数は、後述するパルス発生回路１１５が出力する点灯信号の電流値を濃度判定部１１１の判定結果に基づいて補正するための係数である。
【００２９】
また、信号生成回路１００は、ＳＬＥＤ６３内のＬＥＤ  Ｌ１〜Ｌ１２８の光量のばらつきを補正するばらつき補正係数を記憶する記憶手段の一例としての光量ばらつき補正係数記憶部１１３を備えている。また、点灯率別光量補正係数算出回路１１２にて出力される点灯率別光量補正係数と光量ばらつき補正係数記憶部１１３に記憶されたばらつき補正係数とを用いて、点灯信号の電流値を計算してパルス発生回路１１５に出力する点灯信号計算手段の一例としての電流値計算回路１１４を有する。更に、画像データ並び替え回路１１０にて出力された変換画像データに対応する点灯信号を生成してＳＬＥＤ６３に出力する点灯信号出力手段の一例としてのパルス発生回路１１５とを有している。
【００３０】
画像データ並び替え回路１１０は、画像処理部４０から取得した画像データをＳＬＥＤ６３の発光に適した形式に変換し変換画像データとして出力する。具体的には、画像データ並び替え回路１１０は、画像処理部４０から取得したシリアル形式の画像データを、例えば１画素目〜１２８画素目、１２９画素目〜２５６画素目、…、７２９７画素目〜７４２４画素目等のように、各ＳＬＥＤチップ（ＣＨＩＰ１〜ＣＨＩＰ５８）毎に送信する画像データに分割し、パラレル信号に変換（シリアル／パラレル変換）する等の処理を行う。そして、画像データ並び替え回路１１０は、分割した画像データをパルス発生回路１１５に出力する。
濃度判定部１１１は、画像処理部４０から取得した画像データに含まれる所定の大きさのブロックの濃度（階調度）を判定する。
【００３１】
点灯率別光量補正係数算出回路１１２は、濃度判定部１１１の判定結果に基づいてパルス発生回路１１５が出力する点灯信号の電流を補正する補正係数の一例としての点灯率別光量補正係数を出力する。具体的には、後述するブロック毎に決定される階調度に基づく点灯率別光量補正係数を、画像データの各画素の点灯率別光量補正係数として電流値計算回路１１４へ出力する。
光量ばらつき補正係数記憶部１１３は、ＳＬＥＤ６３内の各ＬＥＤの光量のばらつきを補正するためのばらつき補正係数を記憶している。このばらつき補正係数は、ＬＥＤ  Ｌ１〜Ｌ１２８毎に設定されたデータであり、例えば、ＬＥＤの基準の光量に対する各ＬＥＤの光量の比が該当する。そして、このばらつき補正係数は、例えば８ビット（０〜２５５）のデータとして電流値計算回路１１４に出力される。
【００３２】
電流値計算回路１１４は、点灯率別光量補正係数算出回路１１２にて出力される各画素の点灯率別光量補正係数と光量ばらつき補正係数記憶部１１３に記憶されたＬＥＤ  Ｌ１〜Ｌ１２８毎のばらつき補正係数とを用いて、点灯信号に適した電流値を各画素について計算してパルス発生回路１１５に出力する。電流値計算回路１１４は、回路の簡略化のために、例えば、点灯率別光量補正係数とばらつき補正係数とを乗算して得られる積をパルス発生回路１１５に出力する。
パルス発生回路１１５は、画像データ並び替え回路１１０にて出力された変換画像データに対応する点灯信号を生成してＳＬＥＤ６３に出力する。具体的には、パルス発生回路１１５は、電流値計算回路１１４から出力された画素毎の点灯率別光量補正係数とばらつき補正係数との積と、画像データ並び替え回路１１０から出力された変換画像データとに基づいて、ＬＥＤ  Ｌ１〜Ｌ１２８毎の点灯信号を生成してＳＬＥＤ６３に出力する。
尚、パルス発生回路１１５は、出力する点灯信号の電流値を固定し、入力に応じて点灯信号のパルス幅を可変して出力する構成とすることもできる。具体的には、例えば、点灯信号計算手段（図示省略）が点灯率別光量補正係数とばらつき補正係数とを乗算して出力した積に基づいて、画像データ並び替え回路１１０から出力された変換画像データをパルス発生回路１１５がパルス幅変調（ＰＷＭ）して、点灯信号のパルス幅を可変して出力する。
【００３３】
以上の構成を有する信号生成回路１００において行われる点灯信号の生成処理を説明する。
図６は、点灯信号の生成処理を示すフローチャートである。
画像形成装置１の画像処理部４０から送信された画像データは、信号生成回路１００内の画像データ並び替え回路１１０と濃度判定部１１１とによって同時に受信される（ステップ１０１）。
画像データを受信した濃度判定部１１１は、受信した画像データを所定の大きさのブロックに分割し（ステップ１０２）、そのブロックの濃度（階調度）を判定する。具体的には、分割して得られるブロックに含まれる発光画素の数をカウントし（ステップ１０３）、ブロック全体の画素数で除して、そのブロックの濃度（階調度）を算出する。
【００３４】
（ブロック内の発光画素数のカウント）
図７は、分割されたブロックにおける発光画素数を説明するための図である。
ステップ１０２では、濃度判定部１１１において、取得された画像データを所定の大きさ（例えば、縦５画素、横５画素の大きさ）のブロックに分割する。このときのブロックサイズは、処理を行う濃度判定部１１１及び点灯率別光量補正係数算出回路１１２のＣＰＵの処理能力により予め定められる。
その後、ステップ１０３では、例えば、図７に示すように、ブロックＡに発光画素が１個あり、ブロックＢに３個あるとき、ブロックＡの濃度（階調度）は１／２５＝４％で、ブロックＢでは３／２５＝１２％である。このように、階調度はブロック毎に決定される。
【００３５】
尚、ブロックサイズが予め定まっており、カウントされた発光画素数をブロックの総画素数で除した値は発光画素数に比例するので、回路の簡略化のために、カウントされた発光画素数がそのブロックの濃度として点灯率別光量補正係数算出回路１１２に出力されるようにしてもよい。本実施形態でも情報伝達に発光画素数を用いる。
また、取得された画像データを予め定めたブロックに分割する場合を例にして説明したが、本願はこれに限定されるものではない。例えば、注目画素を中心とした周辺画素を含めたブロックにおいて発光画素数をカウントするようにしても良い。
【００３６】
図６に戻って説明を続ける。
ステップ１０３にて発光画素数を取得した後、点灯率別光量補正係数算出回路１１２では、取得した発光画素数が所定の閾値より小さいか否かを判定する（ステップ１０４）。
発光画素数が所定の閾値より小さいとき（ステップ１０４：Ｙ）、そのブロックは低階調であると判定される。そして、点灯率別光量補正係数算出回路１１２は、その発光画素を表示するＳＬＥＤ６３の発光量を上げるべく、ブロック毎に決定される点灯率別光量補正係数を各画素に対応付けて出力する（ステップ１０５）。
【００３７】
これに対して、発光画素数が所定の閾値より大きいとき（ステップ１０４：Ｎ）、点灯率別光量補正係数算出回路１１２は点灯率別光量補正係数として「１」を出力し（ステップ１０８）、処理はステップ１０６に移行する。
このステップ１０６にて、濃度判定部１１１及び点灯率別光量補正係数算出回路１１２における発光画素数のカウント処理と並行し、光量ばらつき補正係数記憶部１１３は、記憶しているＳＬＥＤ６３内の各ＬＥＤの光量のばらつきを補正するためのＬＥＤ  Ｌ１〜Ｌ１２８毎のばらつき補正係数を電流値計算回路１１４に出力する。
【００３８】
そして、電流値計算回路１１４では、点灯率別光量補正係数算出回路１１２から各画素の点灯率別光量補正係数を取得したとき、取得したその点灯率別光量補正係数と光量ばらつき補正係数記憶部１１３から取得したＬＥＤ  Ｌ１〜Ｌ１２８毎のばらつき補正係数とを乗算して、ＬＥＤ  Ｌ１〜Ｌ１２８毎にその積を出力する（ステップ１０７）。
これに対して、点灯率別光量補正係数算出回路１１２から点灯率別光量補正係数を取得しないとき、光量ばらつき補正係数記憶部１１３から取得したばらつき補正係数に基づいてＬＥＤ  Ｌ１〜Ｌ１２８毎の電流値が算出される。
【００３９】
一方、点灯信号の計算処理（ステップ１０２〜１０７）と並行して、画像データ並び替え回路１１０において、ステップ１０１にて取得された画像データはシリアル／パラレル変換されて並び替えられて、変換画像データとして出力される（ステップ１１０）。
そして、パルス発生回路１１５において、電流値計算回路１１４から出力された積と、画像データ並び替え回路１１０から出力された変換画像データとに基づいて、ＬＥＤ  Ｌ１〜Ｌ１２８毎の点灯信号が生成されて、ＳＬＥＤ６３に出力される（ステップ１１５）。
以上の工程を経て、出力された点灯信号を受けてＳＬＥＤ６３は点灯する。
【００４０】
＜発光画素の濃度（階調度）と発光量との関係＞
次に、発光画素の濃度（階調度）と発光量との関係について説明する。
孤立している画素（孤立画素）と孤立していない画素（非孤立画素）では、同じ強度の点灯信号を受けたときの発光素子の発光量（感光体ドラムに対する発光量）が相違することが実験により判った。
【００４１】
図８は、孤立画素と非孤立画素について、同じ強度の点灯信号を受けた発光素子の発光量の相違を説明する図である。縦軸は発光量の比を示し、横軸は画素の位置を示す。グラフ中の横線は、発光素子に要求される発光量の仕様である。ここで、「仕様」とは、発光素子に露光された感光体の表面が所定電位に帯電しトナーを保持するのに必要とされる発光素子の発光量の強さである。
図８（ａ）は孤立する１画素（以下、孤立画素という。）を点灯させたときの発光素子が出力する発光量を示し、図８（ｂ）は隣接する２画素（以下、隣接画素という。）を点灯させたときの発光量、図８（ｃ）は連続する１６個の画素（以下、連続画素という。）を点灯させたときの発光量を示す。
また、図中の実線は、通常（１００％）の電流の点灯信号を印加したときの発光量を示し、点線（dotted）は通常の電流に対して２０％増しの電流の点灯信号を印加したときの発光量、破線（dashed）は３０％増しの電流の点灯信号を印加したときの発光量を示す。
【００４２】
図８の実線からも判るように、印加電流が１００％の場合、図８（ａ）の孤立画素、図８（ｂ）の隣接画素、図８（ｃ）の連続画素の順で最大発光量が大きくなることが判る。また、図８（ａ）の孤立画素や図８（ｂ）の隣接画素では、発光素子の発光量が仕様を下回ることが判る。
そこで、発光する画素の状態（画素間隔の状態）によって、発光素子の印加電流を変化させて最大発光量の変化を調べた。
【００４３】
図８（ａ）に示す孤立画素の場合では、点灯信号の電流値を現状に対して３０％に上げたとき（１３０％として破線で示す）発光量が仕様に到達する。図８（ｂ）に示す隣接画素では、点灯信号の電流値を２０％増加したとき（１２０％として点線で示す）発光量が仕様を満たす。図８（ｃ）に示す連続画素は、現状（１００％として実線で示す）の電流値であっても発光量は仕様を満たしている。
以上の実験結果を踏まえて、本実施形態では、発光画素の濃度（階調度）に応じて発光素子に印加する点灯信号の電流値を変化させることとした。
【００４４】
次に、発光画素の様々な濃度（階調度）Ｃinにおいて出力される画素の濃度Ｄoutとの関係を調べた。
図９は、点灯率と出力された画素の濃度Ｄoutとの関係を示す図である。横軸は点灯率（％）を示し、縦軸は出力された画素の濃度Ｄout（％）の測定結果を示している。
通常、点灯率１００％のときの濃度は、図８にて説明した「仕様」に対して１．２程度になるが、ここに掲げたグラフでは、点灯率１００％のときの濃度を基準にした比率（％）で表している。図９（ａ）は点灯率０〜１００％全体における関係を表し、図９（ｂ）は特に問題となる点灯率が低い範囲（点灯率０〜１０％）における濃度との関係を示している。また、いずれの図でも、本実施形態を適用する前の状態（電流値補正前）における測定結果を破線で示し、適用した後の状態（電流値補正後）における測定結果を実線で示している。
【００４５】
図９（ａ）に示されているように、電流値補正前（破線）は点灯率が１０％以下の領域において出力される画素の濃度Ｄoutが本来の濃度（理想直線）よりも低いことが判る。即ち、点灯率が低い領域では、出力された画素の濃度が仕様を満たしていない。発光量変更前（破線）から判るように、濃度Ｄoutが本来の濃度（理想直線）に到達していない範囲は、点灯率が約４０％以下の領域である。
これを受けて、点灯率約４０％以下の領域で、発光素子に印加する電流値を操作した。発光量変更後（実線）の画素の濃度は、電流値を操作しない従来の場合（破線）の画素の濃度に比して向上し、本来の発光量に到達していることが判る。図９（ｂ）に示すように、点灯率０〜１０％の範囲において濃度が改善している。
【００４６】
発光画素の濃度（階調度）Ｃinにおいて発光画素に印加する電流値の最適値を調べた。
図１０は、階調度Ｃinと発光画素に印加する電流値との関係を示す図である。横軸は点灯させる画素の階調度Ｃin（％）を示し、縦軸は発光画素に印加する電流（％）を示している。
上述した図８（ｃ）において、連続画素の場合、電流値１００％ですべての画素の発光量が仕様を充足していることが判った。図８（ａ）で電流値を１３０％にしたとき孤立画素の発光量が仕様を満たすことが判った。
【００４７】
よって、図１０に示すように、高階調領域（ＨCinより階調度が大きい領域）では、発光画素に印加する点灯信号の電流値を従来どおり（１００％）としている。階調度Ｃinが低い場合、画素間隔が広く出力すべき画素が隣に存在しないので、点灯信号の電流値を上げている。図８（ａ）の結果を受けて、上限を１３０％に設定した。
尚、発明者等による鋭意検討の結果、例えば、階調度Ｃinが約５％以下では、電流値を更に上げて出力されても出力画素が視認されにくいという実験結果が得られた。かかる実験結果を受け、本実施の形態では、図１０に示すように、下限付近（ＬCinより階調度が小さい領域）では電流値を１３０％に飽和させ、下限付近に飽和領域を形成するようにした。これは、上掲した図９（ｂ）において、５％以下の領域において濃度の改善の程度が低いことに対する対応策となる。
【００４８】
（白抜きの扱い）
次に、高階調画素が多いブロックに低階調画素が含まれる場合の扱いを以下に説明する。
図１１（ａ）、（ｂ）は、白抜きの場合の扱いを説明するための図である。図１１（ａ）は、白抜きの場合の扱いを説明するための出力例を示し、図１１（ｂ）は、図１１（ａ）の測定位置において出力電流と発光量の比の関係を示している。
上掲した図８（ｃ）からも判るように、連続する高階調画素の一番端の画素は他の画素（２番目以降の画素）に比して発光量が少なくなる傾向がある。即ち、低階調画素に接する高階調画素の発光量は低くなる。この結果、境界が不明確になっていた。
【００４９】
例えば、図１１（ａ）に示すような出力をしたときの階調度Ｃinを基に説明する。
低階調画素に接する高階調画素（画素Ａ）に対して１００％の電流を印加して出力したとき、画素Ａの低階調画素との境界付近の階調度Ｃinは７０％であった。これに対して、同じく１００％の電流を印加して出力したときの画素Ｂの階調度Ｃinは１００％であった（図１１（ｂ）の実線参照）。
図１０に示すグラフに従って、階調度Ｃin７０％のときの電流値１０７％を印加して、図１１（ａ）に示す測定位置での発光量を図１１（ｂ）に破線で示す。低階調画素に隣接する画素（画素Ａ）の階調度が高くなり仕様を満たしていることが判る。そして、その結果、高階調画素と低階調画素との境界が明確になった。これにより、例えば、黒色の下地に白抜き文字を出力するとき、白抜き部分が明確に出力できた。
【００５０】
＜パルス幅の制御＞
信号生成回路１００では、階調度に基づいて点灯信号の電流値を制御している。しかし、発光素子の発光時間を制御して低階調画像の再現性を確保することも可能である。例えば、図５に示す信号生成回路１００において、電流値計算回路１１４を、階調度に基づいて点灯信号のパルス幅を計算する点灯信号計算手段の一例としてのパルス幅計算回路に置き換えることで実現できる。
【００５１】
＜電流値とパルス幅の制御＞
点灯信号の電流とパルス幅とは互いに独立して制御することが可能であるから、階調度に基づいて点灯信号の電流値を制御し、複数の発光素子間の発光量のばらつきに基づいてパルス幅を制御する信号生成回路の他の一例としての信号生成回路２００について説明する。
図１２は、画像形成装置１に含まれる信号生成回路２００の構成を示すブロック図である。図５に示す信号生成回路１００に代えて、電流値計算回路２１１と、パルス幅計算回路２１２とを設けている。尚、図５と同様の機能については同様な符号を用い、ここではその詳細な説明は省略する。
この電流値計算回路２１１は、点灯率別光量補正係数算出回路１１２にて出力される点灯率別光量補正係数に基づいて点灯信号に適した電流値を計算してパルス発生回路１１５に出力している。本実施の形態における点灯信号計算手段や電流値計算回路の一例として機能している。また、パルス幅計算回路２１２は、光量ばらつき補正係数記憶部１１３に記憶されたばらつき補正係数に基づいて、点灯信号に適したパルス幅を計算してパルス発生回路１１５に出力している。本実施の形態における点灯信号計算手段やパルス幅計算回路の一例として機能している。
【００５２】
以上の構成を有する信号生成回路２００において行われる画像データのデータ処理を説明する。
図１３は、画像データのデータ処理を示すフローチャートである。
画像形成装置１の画像処理部４０から送信された画像データは、信号生成回路２００内の画像データ並び替え回路１１０と濃度判定部１１１によって同時に受信される（ステップ５０１）。
【００５３】
画像データを受信した濃度判定部１１１は、画像データを所定の大きさのブロックに分割し（ステップ５０２）、そのブロックに含まれる発光画素数をカウントする（ステップ５０３）。カウントされた発光画素数は、点灯率別光量補正係数算出回路１１２に出力される。
【００５４】
発光画素数を取得した点灯率別光量補正係数算出回路１１２は、発光画素数が所定の閾値より小さいか否かを判定する（ステップ５０４）。
発光画素数が所定の閾値より小さいとき（ステップ５０４：Ｙ）、そのブロックは低階調であると判定される。そして、点灯率別光量補正係数算出回路１１２は、その発光画素を表示するＳＬＥＤ６３の光量を上げるべく、点灯率別光量補正係数を電流値計算回路２１１に出力する（ステップ５０５）。
【００５５】
これに対して、発光画素数が所定の閾値より大きいとき（ステップ５０４：Ｎ）、点灯率別光量補正係数算出回路１１２は点灯率別光量補正係数として「１」を出力し（ステップ５０９）、処理はステップ５０６に移行する。
電流値計算回路２１１では、点灯率別光量補正係数算出回路１１２から取得した点灯率別光量補正係数に基づいて、点灯信号に適した電流値を計算して、パルス発生回路１１５に出力する（ステップ５０６）。点灯率別光量補正係数算出回路１１２から点灯率別光量補正係数を取得しないとき、即ち、ブロック内の発光画素数が所定の閾値より大きく高階調のとき、電流値計算回路２１１は発光画素に対する発光量の補正は行わず、点灯信号の本来の発光量に相当する電力値を出力する。
【００５６】
濃度判定部１１１及び点灯率別光量補正係数算出回路１１２における発光画素数のカウント処理と並行して、光量ばらつき補正係数記憶部１１３は、記憶しているＳＬＥＤ６３内の各ＬＥＤの光量のばらつきを補正するためのばらつき補正係数を、パルス幅計算回路２１２に出力する（ステップ５０７）。
パルス幅計算回路２１２では、光量ばらつき補正係数記憶部１１３から取得したばらつき補正係数に基づいて、点灯信号に適したパルス幅を計算して、パルス発生回路１１５に出力する（ステップ５０８）。
【００５７】
一方、点灯信号の計算処理（ステップ５０２〜５０８）と並行して、画像データ並び替え回路１１０において、ステップ５０１にて取得された画像データはシリアル／パラレル変換されて並び替えられて、変換画像データが出力される（ステップ５１０）。
そして、画像データ並び替え回路１１０から出力された変換画像データを取得したパルス発生回路１１５において、電流値計算回路２１１から出力された電流値とパルス幅計算回路２１２から出力されたパルス幅とに基づいて、点灯信号が生成されて出力される（ステップ５１５）。
以上の工程を経て、パルス発生回路１１５から出力された点灯信号を受けて、ＳＬＥＤ６３は点灯する。
【００５８】
上記実施形態では、点灯率別光量補正係数算出回路１１２から出力される点灯率別光量補正係数に基づいて電流値計算回路２１１にて点灯信号の電流値を計算し、光量ばらつき補正係数記憶部１１３から取得したばらつき補正係数に基づいてパルス幅計算回路２１２にて点灯信号のパルス幅を計算していたが、本発明はこれに限定されるものではない。点灯率別光量補正係数に基づいて点灯信号のパルス幅を計算し、ばらつき補正係数に基づいて点灯信号の電流値を計算してもよい。点灯信号の電流値と発光回数とは互いに独立して制御することが可能だからである。
【００５９】
図６、図１３に示したフローチャートに対応するプログラムをフレキシブルディスク又はハードディスク等の情報記録媒体に記録しておき、又はこれらのプログラムをインターネット等のネットワークを介して配信して記録しておき、これを例えば画像形成装置１等が有する汎用のコンピュータ等により読み出して実行させることにより、このコンピュータ等を画像形成装置１等の一部として機能させることも可能である。
【図面の簡単な説明】
【００６０】
【図１】本実施形態にかかるＬＥＤプリントヘッドが用いられた画像形成装置の全体構成を示した図である。
【図２】ＬＥＤプリントヘッド（ＬＰＨ）の構成を示した図である。
【図３】ＬＥＤ回路基板の平面図である。
【図４】ＳＬＥＤの回路構成の一例を説明する図である。
【図５】画像形成装置に含まれる信号生成回路の構成を示すブロック図である。
【図６】点灯信号の生成処理を示すフローチャートである。
【図７】分割されたブロックにおける発光画素数を説明するための図である。
【図８】孤立画素と非孤立画素について、同じ強度の点灯信号を受けた発光素子の発光量の相違を説明する図である。
【図９】階調度と出力された画素の濃度との関係を示す図である。
【図１０】階調度と発光素子に印加する点灯信号の電流値との関係を示す図である。
【図１１】白抜きの場合の扱いを説明するための図である。
【図１２】画像形成装置に含まれる信号生成回路の構成を示すブロック図である。
【図１３】画像データのデータ処理を示すフローチャートである。
【符号の説明】
【００６１】
１…画像形成装置、１０…画像形成プロセス部（画像形成部）、１２…感光体ドラム（像保持体）、１４…ＬＥＤプリントヘッド（ＬＰＨ）（露光装置）、４０…画像処理部（画像処理手段）、６３…自己走査型ＬＥＤアレイ（ＳＬＥＤ）（発光素子アレイ部材）、１００，２００…信号生成回路、１１０…画像データ並び替え回路（データ変換手段）、１１１…濃度判定部（判定手段）、１１２…点灯率別光量補正係数算出回路（発光量補正手段）、１１３…光量ばらつき補正係数記憶部（記憶手段）、１１４…電流値計算回路（点灯信号計算手段）、１１５…パルス発生回路（点灯信号出力手段）、２１１…電流値計算回路（電流値計算回路、点灯信号計算手段）、２１２…パルス幅計算回路（パルス幅計算回路、点灯信号計算手段）
【図１】
0005205934.tif 000002
【図２】
0005205934.tif 000003
【図３】
0005205934.tif 000004
【図４】
0005205934.tif 000005
【図５】
0005205934.tif 000006
【図６】
0005205934.tif 000007
【図７】
0005205934.tif 000008
【図８】
0005205934.tif 000009
【図９】
0005205934.tif 000010
【図１０】
0005205934.tif 000011
【図１１】
0005205934.tif 000012
【図１２】
0005205934.tif 000013
【図１３】
0005205934.tif 000014